(57)【特許請求の範囲】
【請求項１】
インターネットなどを介してＩＰデータグラムを用いたデータ通信を行うためのパソコンを接続するデータポートと、電話機を接続する電話ポートと、電話網と接続する回線ポートと、ドアホンを接続するドアホンポートとを備えたターミナルアダプタにおいて、
前記ドアホンからの音声信号をＩＰデータグラムを用いた音声データに変換する音声変換手段と、前記パソコンから前記データポートを介して入力されたＩＰデータグラムを用いた音声データを音声信号に復元する音声信号復元手段と、前記ドアホンからの画像信号をＩＰデータグラムを用いた画像データに変換する画像信号変換手段とを備え、
前記ドアホンポートに接続した前記ドアホンからの呼出信号を検出した場合、前記検出した呼出信号をＩＰデータグラムを用いたドアホン起動コマンドに変換し、前記変換したドアホン起動コマンドを前記データポートを介して前記パソコンへ出力する機能と、前記音声変換手段により変換した音声データを前記データポートを介して前記パソコンへ出力する機能と、前記音声信号復元手段により復元した音声信号を前記ドアホンポートを介して前記ドアホンへ出力する機能と、前記画像信号変換手段により変換した画像データを前記データポートを介して前記パソコンへ出力する機能とを有する
ことを特徴とするドアホン機能付きターミナルアダプタ。
【発明の詳細な説明】
【０００１】
【発明の属する技術分野】
本発明は、ＩＳＤＮ回線を終端するターミナルアダプタに関し、詳細には、ドアホンを接続できるドアホン機能付きターミナルアダプタに関する。
【０００２】
【従来の技術】
従来のドアホン機能を有するターミナルアダプタでは、ドアホンからの呼出しがあると、該ターミナルアダプタのアナログポートに接続した電話機の着信ベルを鳴らして呼出しを知らせ、該電話機の受話器を取ってドアホンとの間で通話を行うものであった。
【０００３】
このターミナルアダプタのアナログポートに接続される電話機とデータポートに接続されるパソコンを離して設置したときには、パソコンを使用してインターネット通信中にドアホンの呼出しが有ったときには、呼出しが有ったことをパソコンに表示させることができずドアホンに応答することができなかった。
【０００４】
また、ＴＶカメラを備えたドアホンを接続したドアホンからの呼出しが有ったときには、相手を確認するには、専用のビデオモニタが設置されている場所まで赴く必要が有った。
【０００５】
さらに、パソコンを使用してインターネットの長時間接続している状態で、ドアホンからの呼出しが有った場合に、ターミナルアダプタや電話機をパソコンの近くに設置しなかったときには、ドアホンからの呼出し信号が聞こえなかったり気が付かなかったりして来客を認識できないという問題が有った。また、たとえ呼出し信号が聞こえても、電話機のところまでいって呼出しに応答しなければならず、パソコンの操作が中断され操作性が劣るという問題が有った。
【０００６】
【発明が解決しようとする課題】
本発明は、上記問題を解決することを目的とし、インターネットで通信中のパソコンに、ドアホンからの呼出しをパソコンの表示画面上に表示するとともに、パソコンから対応できるターミナルアダプタを提供する。
【０００７】
【課題を解決するための手段】
上記課題を解決するために、本発明は、インターネットなどを介してＩＰデータグラムを用いたデータ通信を行うためのパソコンを接続するデータポートと、電話機を接続する電話ポートと、電話網と接続する回線ポートと、ドアホンを接続するドアホンポートとを備えたターミナルアダプタにおいて、前記ドアホンからの音声信号をＩＰデータグラムを用いた音声データに変換する音声変換手段と、前記パソコンから前記データポートを介して入力されたＩＰデータグラムを用いた音声データを音声信号に復元する音声信号復元手段と、前記ドアホンからの画像信号をＩＰデータグラムを用いた画像データに変換する画像信号変換手段とを備え、前記ドアホンポートに接続した前記ドアホンからの呼出信号を検出した場合、前記検出した呼出信号をＩＰデータグラムを用いたドアホン起動コマンドに変換し、前記変換したドアホン起動コマンドを前記データポートを介して前記パソコンへ出力する機能と、前記音声変換手段により変換した音声データを前記データポートを介して前記パソコンへ出力する機能と、前記音声信号復元手段により復元した音声信号を前記ドアホンポートを介して前記ドアホンへ出力する機能と、前記画像信号変換手段により変換した画像データを前記データポートを介して前記パソコンへ出力する機能と、を備えた。
【００１２】
【発明の実施の形態】
以下、本発明にかかるドアホン機能付きターミナルアダプタの構成の概要を模式的に示す図１を用いて説明する。
【００１３】
ドアホン機能付きターミナルアダプタ１は、ドアホン３と、パーソナルコンピュータ５と、ＩＳＤＮ回線７と、アナログ通信機９−１，９−２に接続される。
ターミナルアダプタ１は、呼出信号検出手段１１と、音声検出手段１２と、Ａ／Ｄ変換器１３と、Ｄ／Ａ変換器１４と、Ａ／Ｄ変換手段１５と、ターミナルアダプタ部１６と、データ通信検出制御手段１７と、切替手段１８と、ＩＰデータグラム変換手段１９と、切替制御手段２０と、コマンド検出手段２１と、ドアホンインタフェースＩＦ１１と、データポートＩＦ１２と、ディジタルインタフェースＩＦ１３と、少なくとも２本のアナログポートＩＦ１４−１，ＩＦ１４−２とを有している。
【００１４】
呼出信号検出手段１１は、ドアホン３の呼出ボタン３１の押し下げを検出し、呼出検出信号をターミナルアダプタ部１６へ送出する。
【００１５】
音声検出手段１２は、ドアホンのマイクからの音声入力を検出し、ターミナルアダプタ部１６へ音声検出信号を出力する。
Ａ／Ｄ変換手段１３は、ドアホンのマイクから入力されたアナログ音声信号をディジタルの音声信号に変換して切替手段１８へ出力する。
【００１６】
Ｄ／Ａ変換手段１４は、パーソナルコンピュータのマイクから入力されたディジタル音声信号をアナログ音声信号に変換してドアホンへ出力する。
【００１７】
Ａ／Ｄ変換手段１５は、ドアホンのカメラからのアナログ画像信号をディジタル画像信号に変換して切替手段１８へ出力する。
【００１８】
ターミナルアダプタ部１６は、通常のターミナルアダプタの機能を達成する手段であり、ＩＳＤＮ回線７−パーソナルコンピュータ５間、ＩＳＤＮ回線７−アナログ電話機９間、ドアホン３−パーソナルコンピュータ５間、ドアホン３−アナログ電話機９間の信号のやり取りを制御する。
ターミナルアダプタ部１６は、通話路切替スイッチ、制御部（ＣＰＵ）、コーデック（ＣＯＤＥＣ）、音源、ＣＮＧ信号検出手段（ＣＮＧＲＥＣ）、プッシュボタン信号検出手段（ＰＢＲＥＣ）、２０Ｈｚオッシレータ、リングトリップ、ＩＲリレーなどを有している。
さらに、ターミナルアダプタ部１６は、データ転送およびドアホンの状態を表示するコマンドをプログラムにより生成し、データポートＩＦ１２からパーソナルコンピュータ５へ出力する。
【００１９】
データ通信検出手段１７は、ＩＳＤＮ回線７−パーソナルコンピュータ５間の通信状況を監視してデータ通信を行っているか否かを検出する。
【００２０】
切替手段１８は、切替制御手段２０によって制御され、ドアホンのマイクからの音声信号と、カメラからの映像信号を選択してパーソナルコンピュータへ送出し、パーソナルコンピュータからの音声信号をドアホンのスピーカに送出する働きを有している。
【００２１】
ＩＰデータグラム変換手段１９は、切替手段１８からの信号をＩＰ（Internet Protocol）に従ったフォーマットであるＩＰデータグラムに変換してパーソナルコンピュータ５に出力し、パーソナルコンピュータ５からのＩＰデータグラムのデータをドアホン３に対応したデータに変換する。
【００２２】
切替制御手段２０は、プロトコルや信号を監視して切替手段１８を切替制御する。
【００２３】
コマンド検出手段２１は、パーソナルコンピュータ５からのコマンドを検出して、ターミナルアダプタ部１６に出力する。
【００２４】
ドアホンインタフェースＩＦ１１は、ドアホン制御ユニットが接続され、ドアホン３からの呼出信号と音声信号と画像信号を受信するとともに、ドアホン３へ音声信号を送出する。さらに、ドアホンインタフェースはＩＦ１１は、ドアホンへの直流給電を行う。
【００２５】
データポートＩＦ１２は、パーソナルコンピュータ５との間でＩＰデータグラムとされたディジタル信号を送受信する。
【００２６】
ディジタルインタフェースＩＦ１３は、レイヤ１，レイヤ２制御機能を有しており、ＩＳＤＮ回線７との間でディジタル信号を送受信する。
【００２７】
アナログデータポートＩＦ１４−１，ＩＦ１４−２は、アナログ通信機器９−１，９−２に対して直流給電、２線／４線変換、受話レベル調整を行う。
【００２８】
ドアホン３は、呼出ボタン３１と、マイク３２と、スピーカ３３とを有しており、さらにＴＶカメラ３４を有していても良い。ドアホン３は、ドアホンインタフェースＩＦ１１を介してターミナルアダプタに接続される。
【００２９】
パーソナルコンピュータ５は、シリアル／パラレル変換手段５１と、ＣＰＵ５２と、データ通信検出手段５３と、サウンド機能手段５４と、キーボード５５と、ディスプレイ５６と、マイク５７と、スピーカ５８とを有する、通常のパーソナルコンピュータが用いられる。
【００３０】
パーソナルコンピュータ５には、ドアホンからの着信信号を検出しスピーカ５８もしくはディスプレイ５６に出力するプログラムと、ディジタル音声データをアナログ音声信号に変換しスピーカ５８に出力するプログラムと、ドアホン３からのディジタル画像信号をアナログ画像信号に変換しディスプレイ５６に出力するプログラムと、マイク５７からの音声信号をフォーマット変換しターミナルアダプタへ出力するプログラムを常駐させておく。
【００３１】
ＩＳＤＮ回線７は、通常のＩＳＤＮ回線網である。
【００３２】
アナログ通信機９−１，９−２は、通常のアナログ電話機やアナログファクシミリである。
【００３３】
以下、上記ターミナルアダプタ１を介した、ドアホン３とパーソナルコンピュータ５とＩＳＤＮ回線７とアナログ通信機９との間の通話について説明する。
図２は、ドアホン３から呼出しが有った場合の、ターミナルアダプタ１における処理を示している。
【００３４】
パーソナルコンピュータ５が立ち上げられた状態で、ドアホン３の呼出ボタン３１が押し下げられたことを呼出信号検出手段１１が検出すると（Ｓ１）、ターミナルアダプタ１がインターネットで通信中でありデータの伝送が行われているか否かを判断する（Ｓ２）。ターミナルアダプタ１とパーソナルコンピュータ５間の通信プロトコルは、ＲＦＣ７９１で規定されているＩＰをサポートしている。
【００３５】
パーソナルコンピュータ５がインタネットに対してデータ伝送中のときは、現在のデータ伝送の完了を監視し（Ｓ３）、ＩＰデータグラム最大約１．５キロバイトのデータの伝送が完了した時点で、ドアホンが起動されたことを示すドアホン起動コマンドを作成して、切替制御手段２０によって切替手段１８を制御して、ドアホン起動コマンドをパーソナルコンピュータ５に送出する（Ｓ４）。
ドアホン起動コマンドは、ＩＰデータグラムのオプション部のパラメータ領域にドアホンからのコマンド識別子を付加して作成される。
【００３６】
ステップＳ２でデータの伝送が行われていないときには、ステップＳ４に移行し、ドアホンが起動されたことを示すドアホン起動コマンドを作成して、切替制御手段２０によって切替手段１８を制御して、ドアホン起動コマンドをパーソナルコンピュータ５に送出する。
【００３７】
パーソナルコンピュータ５でドアホン起動コマンドを受信（Ｓ５）することによって、ドアホン起動時の処理を終了する。
【００３８】
図３を用いて、ターミナルアダプタ１側におけるドアホンからの音声をパーソナルコンピュータ５へ出力する処理を説明する。
ドアホン３の呼出ボタン３１が押し下げられたことを呼出信号検出手段１１が検出した後、音声検出手段１２がドアホンからの音声を検出すると（Ｓ１１）、ターミナルアダプタ１がインターネットで通信中でありデータの伝送が行われているか否かを判断する（Ｓ１２）。
【００３９】
パーソナルコンピュータ５がインタネットに対してデータ伝送中のときは、現在のデータ伝送の完了を監視し（Ｓ１３）、ドアホンからのアナログデータをディジタルデータに変換したディジタル音声データをＩＰデータグラムのデータ領域に搭載して音声データを作成し（Ｓ１４）、パーソナルコンピュータ５へ出力する。
該音声データをパーソナルコンピュータ５上のドアホンアプリケーションで受信して（Ｓ１５）、ドアホン音声データの作成を終了する。
【００４０】
ステップＳ１２でデータの伝送が行われていないときには、ステップＳ１４へ移行してドアホンからのアナログデータをディジタルデータに変換したディジタル音声データをＩＰデータグラムのデータ領域に搭載した音声データを作成して、パーソナルコンピュータ５へ出力する。
【００４１】
図４を用いて、ターミナルアダプタ１側におけるドアホンからの画像データをパーソナルコンピュータ５へ出力する処理を説明する。
ドアホン３の呼出ボタン３１が押し下げられたことを呼出信号検出手段１１が検出した後、音声検出手段１２がドアホンからの画像データを検出すると（Ｓ２１）、ターミナルアダプタ１がインターネットで通信中でありデータの伝送が行われているか否かを判断する（Ｓ２２）。
【００４２】
パーソナルコンピュータ５がインタネットに対してデータ伝送中のときは、現在のデータ伝送の完了を監視し（Ｓ２３）、データの伝送が完了した時点で、ドアホンからのアナログデータをディジタルデータに変換したディジタル画像データをＩＰデータグラムのデータ領域に搭載して画像データを作成し（Ｓ２４）、パーソナルコンピュータ５へ出力する。
画像データをパーソナルコンピュータ５上のドアホンアプリケーションで受信して（Ｓ２５）、ドアホン画像データの作成を終了する。
【００４３】
ステップＳ２２でデータの伝送が行われていないときには、ステップＳ２４へ移行し、ドアホンからのアナログデータをディジタルデータに変換したディジタル画像データをＩＰデータグラムのデータ領域に搭載して画像データを作成し（Ｓ２４）、パーソナルコンピュータ５へ出力する。
【００４４】
パーソナルコンピュータ５側のドアホンアプリケーションについて図５を用いて説明する。
データ通信が開始されると（Ｓ４１）、ターミナルアダプタ１から送られてくるデータの中でＩＰデータグラムを受信したか否かを監視する（Ｓ４２）。ＩＰデータグラムを受信すると、オプション部パラメータ領域を参照してドアホン起動識別子が搭載されているか否かを監視してドアホン起動コマンドを受信したか否かを判断する（Ｓ４３）。ドアホン起動コマンドの受信でないときには、ステップＳ４２に戻ってドアホン起動コマンドの受信を待機する。
【００４５】
ドアホン起動コマンドを受信すると、インタネット通信に用いているインタネットブラウザを一旦停止する（Ｓ４４）。次いでパーソナルコンピュータ５上でドアホンアプリケーションを起動する（Ｓ４５）。
【００４６】
次ぎに、音声データを受信したか否かを判断する（Ｓ４６）。音声データを受信したときには、パーソナルコンピュータに内蔵したサウンド機能５４を用いてスピーカ５８から音声を発生する（Ｓ４７）。
【００４７】
次いで、終了キーが押されたか否かを監視し（Ｓ４８）、終了キーが押されたときには、この処理を終了する。終了キーの押し下げがないときには、ステップＳ４２に戻って次のＩＰデータグラムの受信を待機する。
【００４８】
ステップＳ４６で、受信したデータが音声データでないときには、受信したデータが画像データであるか否かを判断し（Ｓ４９）、画像データであるときには、パーソナルコンピュータ５に内蔵したビデオキャプチュア機能を用いて、ディスプレイ上に画像を表示する（Ｓ５０）。
【００４９】
ステップＳ４９の判断で、画像データでないとされたときには、エラー表示を行って（Ｓ５１）、処理を終了する。
【００５０】
図６を用いて、パーソナルコンピュータ５のマイク５７で取り込んだ音声をターミナルアダプタ１へ出力する処理を説明する。
マイク５７から入力があると（Ｓ６１）、音声であるか否かを判断する（Ｓ６２）。音声入力でないときにはステップＳ６１に戻って、音声が入力されるのを待機する。
入力が音声であるときには、パーソナルコンピュータ５がデータ通信中であるか否かを判断する（Ｓ６３）。データ通信中であるときには、現在のデータの伝送が完了したか否かを監視し（Ｓ６４）、データの伝送が終了するのを待って、アナログ音声信号をディジタル音声信号に変換する（Ｓ６５）。
【００５１】
次いで、ＩＰデータグラムを生成し、オプション部のパラメータ領域にディジタル音声データを乗せて、ＩＰデータフォーマットのデータを作成し（Ｓ６６）、このパラレルデータをシリアルデータに変換した（Ｓ６７）後、ターミナルアダプタ１のデータポートＩＦ１２へ向けて出力する（Ｓ６８）。
【００５２】
パーソナルコンピュータ１からデータを受信した場合のターミナルアダプタ１での処理を図７を用いて説明する。
データポートＩＦ１２からデータを受信すると（Ｓ７１）、パーソナルコンピュータ５がデータ通信中であるか否かを判断し（Ｓ７２）、データ通信中の場合は、現在のデータの伝送が完了したか否かを監視し（Ｓ７３）、データ伝送の完了を待機する。
【００５３】
データ伝送が終了した時点、またはステップＳ７２でデータ通信中でなかったときには、コマンド検出手段２１は、ＩＰデータグラムのオプション部のパラメータ領域に搭載したコマンドを参照して受信して、データがコマンドを伝送するデータであるか否かを判断する（Ｓ７４）。
【００５４】
受信したデータがコマンドを伝送するデータであるときには、コマンドを解析し（Ｓ７５）、音声データの伝送コマンドであるか否かを判断する（Ｓ７６）。音声データのときには、切替手段１８をドアホン３のスピーカ３３に接続されるＤ／Ａ変換装置１４側に切り替えて（Ｓ７７）、音声データをドアホンに伝送する。
【００５５】
ステップＳ７６で、音声データの伝送コマンドでないときには、画像データの伝送コマンドであるか否かを判断する（Ｓ７８）。画像データのときには、切替手段１８をドアホン３のＴＶカメラ３４に接続されるＡ／Ｄ変換手段１５側に切り替えて（Ｓ７９）、ドアホン３からの静止画像をパーソナルコンピュータ側に送り出す。
【００５６】
ステップＳ７８で、画像データでない場合には、音声データまたは画像データのいずれにも該当しないので、エラー信号をパーソナルコンピュータ５側に返送して（Ｓ８０）、処理を終了する。
【００５７】
ステップＳ７４の判断で受信したデータがコマンド伝送データでなくデータであった場合には、データの終了を監視し（Ｓ８１）、終了しない場合には、音声データを切替手段１８を介してＤ／Ａ変換手段１４へ送りＤ／Ａ変換して、ドアホンインタフェースＩＦ１１からドアホン３のスピーカ３３へ出力して（Ｓ８３）、処理を終了する。
ステップＳ８１で、データが終了した場合には、ステップＳ７１に戻って次のデータの受信を待つ。
【００５８】
このようにして、パーソナルコンピュータ５がターミナルアダプタ１を介してインタネットと通信中に、ターミナルアダプタ１に接続されたドアホン３から呼出しが有ったときには、その旨をパーソナルコンピュータ５のディスプレイ５６上に表示したり、パーソナルコンピュータ５のスピーカ５８から発信音を発音することによって、操作者にドアホン３からの呼出しを知らせることができる。
操作者が、マイク５７から応答すると、この応答はドアホン３のスピーカ３３から出力さる。訪問者がマイク３２を用いて用件を述べると操作者に伝えることができる。
【００５９】
さらに、ドアホン３にカメラ３４を備えているときには、静止画像をパーソナルコンピュータ５のディスプレイ５６上に表示することができる。
【００６０】
このようにして、ターミナルアダプタ１がパーソナルコンピュータ５から離れた個所に設置されている場合でも、パーソナルコンピュータ５から離れることなくドアホンからの呼出しに対応することができる。
【００６１】
【発明の効果】
本発明によれば、ドアホンからの呼出しをパーソナルコンピュータに出力することができるとともに、パーソナルコンピュータから応答することができる。
【図面の簡単な説明】
【図１】本発明にかかるドアホン機能付きターミナルアダプタの構成の概要を示すブロック図。
【図２】ドアホン呼出しが有った場合のドアホン機能付きターミナルアダプタにおける処理を説明するフローチャート。
【図３】ドアホンから音声入力が有った場合のドアホン機能付きターミナルアダプタにおける処理を説明するフローチャート。
【図４】ドアホンから画像入力が有った場合のドアホン機能付きターミナルアダプタにおける処理を説明するフローチャート。
【図５】ターミナルアダプタから入力が有った場合のパーソナルコンピュータにおける処理を説明するフローチャート。
【図６】パーソナルコンピュータで応答するときのパーソナルコンピュータにおける処理を説明するフローチャート。
【図７】パーソナルコンピュータからデータが転送された場合のドアホン機能付きターミナルアダプタにおける処理を説明するフローチャート。
【符号の説明】
１  ターミナルアダプタ
１１  呼出信号検出手段
１２  音声検出手段
１３  Ａ／Ｄ変換手段
１４  Ｄ／Ａ変換手段
１５  Ａ／Ｄ変換手段
１６  ターミナルアダプタ部
１７  データ通信検出手段
１８  切替手段
１９  ＩＰデータグラム変換手段
２０  切替制御手段
２１  コマンド検出手段
３  ドアホン
３１  呼出ボタン
３２  マイク
３３  スピーカ
３４  カメラ
５  パーソナルコンピュータ
５１  シリアル／パラレル変換手段
５２  ＣＰＵ
５３  データ通信検出手段
５４  サウンド機能
５５  キーボード
５６  ディスプレイ
５７  マイク
５８  スピーカ
７  ＩＳＤＮ回線網
９  アナログ通信機
ＩＦ１１  ドアホンインタフェース
ＩＦ１２  ディジタルインタフェース
ＩＦ１３  ＩＳＤＮインタフェース
ＩＦ１４  アナログポート
【図１】
0004317614.tif 000002
【図２】
0004317614.tif 000003
【図３】
0004317614.tif 000004
【図４】
0004317614.tif 000005
【図５】
0004317614.tif 000006
【図６】
0004317614.tif 000007
【図７】
0004317614.tif 000008